(57)【要約】【課題】最適記録パワーを測定するの時間を短縮し、その精度を上げることにより、映像や音声が適正な記録パワーで途切れることなく記録する。【解決手段】光記録装置に光記録媒体が挿入されたら（ステップＳ１）、上記光記録媒体上のＯＰＣ（Ｏｐｔｉｍｕｍ  Ｐｏｗｅｒ  Ｃａｌｉｂｒａｔｉｏｎ）のために使用できる試し書き領域ＰＣＡ（Ｐｏｗｅｒ  Ｃａｌｉｂｒａｔｉｏｎ  Ａｒｅａ）を探し、その場所で光学ピックアップを待機させ（ステップＳ４）、データの記録操作入力を受け付けると（ステップＳ６）、その待機場所でＯＰＣ動作を行い（ステップＳ７）、最適パワーが得られたら、上記光記録媒体上のデータ記録エリアに光学ピックアップを移動させて（ステップＳ１０）、上記光学ピックアップによりデータを上記光記録媒体上のデータ記録エリアに記録する（ステップＳ１１）。【選択図】        図３
2004213808.tif 000002
【特許請求の範囲】
【請求項１】
光記録媒体に対して光学ピックアップによりデータの記録を行う光記録装置における光記録方法であって、
光記録装置に光記録媒体が挿入されたら、上記光記録媒体上のＯＰＣ（ＯｐｔｉｍｕｍＰｏｗｅｒ  Ｃａｌｉｂｒａｔｉｏｎ）のために使用できる試し書き領域ＰＣＡ（Ｐｏｗｅｒ  Ｃａｌｉｂｒａｔｉｏｎ  Ａｒｅａ）を探し、その場所で光学ピックアップを待機させ、
データの記録操作入力を受け付けると、その待機場所でＯＰＣ動作を行い、最適パワーが得られたら、上記光記録媒体上のデータ記録エリアに光学ピックアップを移動させて、上記光学ピックアップによりデータを上記光記録媒体上のデータ記録エリアに記録する
ことを特徴とする光記録方法。
【請求項２】
上記光記録媒体上のデータ記録エリアに移動させた光学ピックアップにより、実記録データを上記データ記録エリアで記録してＲ−ＯＰＣ（Ｒｕｎｎｉｎｇ  Ｏｐｔｉｍｕｍ  Ｃｏｎｔｏｒｏｌ）の基準値を取得し、取得した基準値に基づいてＲ−ＯＰＣを実行しながらデータの記録を行うことを特徴とする請求項１記載の光記録方法。
【請求項３】
光記録媒体に対して光学ピックアップによりデータの記録を行う光記録装置であって、
光記録媒体が挿入されたら、上記光記録媒体上のＯＰＣ（Ｏｐｔｉｍｕｍ  Ｐｏｗｅｒ  Ｃａｌｉｂｒａｔｉｏｎ）のために使用できる試し書き領域ＰＣＡ（Ｐｏｗｅｒ  Ｃａｌｉｂｒａｔｉｏｎ  Ａｒｅａ）を探し、その場所で光学ピックアップを待機させ、データの記録操作入力を受け付けると、その待機場所でＯＰＣ動作を行い、最適パワーが得られたら、上記光記録媒体上のデータ記録エリアに光学ピックアップを移動させて、上記光学ピックアップによりデータを上記光記録媒体上のデータ記録エリアに記録する制御を行う制御手段を備えることを特徴とする光記録装置。
【請求項４】
上記制御手段は、上記光記録媒体上のデータ記録エリアに移動させた光学ピックアップにより、実記録データを上記データ記録エリアで記録してＲ−ＯＰＣ（Ｒｕｎｎｉｎｇ  Ｏｐｔｉｍｕｍ  Ｃｏｎｔｏｒｏｌ）の基準値を取得し、取得した基準値に基づいてＲ−ＯＰＣを実行しながらデータの記録を行うことを特徴とする請求項１記載の光記録装置。
【請求項５】
撮像手段を備え、上記撮像手段により得られるビデオ信号を光記録媒体に記録することを特徴とする請求項４記載の光記録装置。
【発明の詳細な説明】
【０００１】
【発明の属する技術分野】
本発明は、レーザ光を使用して光ディスク等の光記録媒体に対してデータの記録を行う光記録方法及び光記録装置に関する。
【０００２】
【従来の技術】
光学的読み取りを応用した、いわゆるコンパクトディスク（ＣＤ：Ｃｏｍｐａｃｔ  Ｄｉｓｃ）やＤＶＤ（Ｄｉｇｉｔａｌ  Ｖｅｒｓａｔｉｌｅ  Ｄｉｓｃ）のようなディスク状記録媒体（以下、光ディスクと記す。）は、記憶容量が大きく、ランダムアクセスが可能である。また、光学読み取りは、非接触であることから、磁気テープのような接触型の記録媒体と比較してヘッドクラッシュ等の危険や読み取りによる摩耗・損傷がない。また、ディスク表面が頑丈なことから、偶発的なデータ消失の危険性も少ない。このように多くの利点を持つ光ディスクは、コンピュータ周辺のメモリとして、またデータ制作・データ保存において優れた記録媒体である。
【０００３】
近年においては、ＣＤ−Ｒ（Ｃｏｍｐａｃｔ  Ｄｉｓｃ−Ｒｅｃｏｒｄａｂｌｅ）と呼ばれる追記型の光ディスクを用いた記録再生装置が開発されている。
【０００４】
このようなＣＤ−Ｒの中には、ＣＤ−ＲＯＭ、ＣＤ−ＲＯＭ／ＸＡ、ＣＤ−Ｉ、ＣＤ−ＤＡといったコンパクト・ディスクで使用されるすべての標準的なフォーマットに対応した書き込みを簡単に行うことができるものもある。またＣＤ−Ｒは、従来の磁気テープ、磁気ディスク等に代わって、電子機器に搭載されて、データを記録及び／又は再生する記録再生装置として使用されるようになってきている。
【０００５】
例えば、コンパクトディスク（ＣＤ）と同じサイズのディスクの一面に有機系記録材料を塗布し、この一面に光ビームにより任意のデータを書き込むようにされた追記型光ディスクが知られている。この追記型光ディスクでは、基本的には、最内周側に試し書き領域ＰＣＡ（Ｐｏｗｅｒ  Ｃａｌｉｂｒａｔｉｏｎ  Ａｒｅａ）が形成され、その外側にデータ書き込み領域が形成されている。
【０００６】
このような追記型光ディスクにデータを書き込む際には、再生信号のアシンメトリが一定となるように上記試し書き領域に試し書きを行い、その結果として得られた上記アシンメトリが一定になるレーザ光の出力を最適出力とし、この最適出力を保持しながら、データ書き込み領域にデータを書き込むようにしていた（例えば特許文献１参照）。
【０００７】
ＣＤ−Ｒで使用するレーザダイオードは、記録媒体毎の特性、及び周囲温度等により書き込みのためのレーザ出力に変動があるため、データの書き込みの直前に記録媒体内周部に設けられた試し書き領域ＰＣＡにレーザの出力レベルを段階的に変化させて試し書きを行うことによって、そのときの環境下で最適な書き込み出力を決定している。この動作は、ＯＰＣ（Ｏｐｔｉｍｕｍ  Ｐｏｗｅｒ  Ｃａｌｉｂｒａｔｉｏｎ）と呼ばれている。
【０００８】
ＣＤ−Ｒの規格では、リードインエリアのグルーブ上にＡＴＩＰ（Ａｂｓｏｌｉｔｅ  Ｔｉｍｅ  Ｉｎ  Ｐｅｒ−ｇｒｏｏｖｅ，Ｍｏｄｕｌａｔｉｎｇ）の所定の形式でメディア上の時間情報と１０フレームに１フレームの割合でリードイン領域の開始時間等の情報がコード化されて書き込まれている。
【０００９】
これは、メーカ、記録媒体を個別に識別するための識別コードとしても使用されており、ここに記述されるコードで指定される記録媒体毎の書き込み特性が記録装置側に予め記憶されている。そして、記録装置は、書き込みに関する種々のパラメータ群を求めておいて、書き込み時にこの識別コードに対応する最適パラメータ群を選択して用いている。これは、ライトストラテジと呼ばれ、レーザーパルスをＥＦＭパルス長に応じて時間軸・強度方向に部分的に変化させる際のレーザ出力の最適値を指定している。
【００１０】
また、ビデオデータなどの大容量のデータを取り扱う光ディスクであるＤＶＤ（Ｄｉｇｉｔａｌ  Ｖｅｒｓａｔｉｌｅ  Ｄｉｓｃ）においても、情報の書き込み可能な光ディスクとして、１回のみ書き込み可能なＤＶＤ−Ｒ（ＤＶＤ−Ｒｅｃｏｒｄａｂｌｅ）、追記可能なＤＶＤ−ＲＷ（ＤＶＤ−Ｒｅｗｒｉｔａｂｌｅ）、ＤＶＤ−ＲＡＭ（ＤＶＤ−Ｒａｎｄｏｍ  Ａｃｃｅｓｓ  Ｍｅｍｏｒｙ）が提案されている。
【００１１】
そして、ＣＤ−ＲやＤＶＤ−Ｒのドライブでは、記録中のレーザパワーの制御、すなわち、Ｒ−ＯＰＣ（Ｒｕｎｎｉｎｇ  Ｏｐｔｉｍｕｍ  Ｃｏｎｔｏｒｏｌ）が行われている。このＲ−ＯＰＣの目的は光ディスクの内外周での反射率のばらつき、ディスクのスキューにより発生するコマ収差によりスポット強度分布の変化、温度上昇によるレーザ波長の変化等を吸収することにある。
【００１２】
ここで、ＤＶＤ−Ｒ又はＤＶＤ−ＲＷにおける記録フォーマットについて説明する。
【００１３】
ＤＶＤ−Ｒ又はＤＶＤ−ＲＷ等で記録したデータは、ＤＶＤ−ビデオフォーマットにのみ対応する再生装置ではフォーマットが不適合なために再生をすることができない。
【００１４】
このため、かかる再生装置でＤＶＤ−Ｒ又はＤＶＤ−ＲＷ等（以下、ＤＶＤ−Ｒ／−ＲＷという。）に記録したデータを再生するためには、ＤＶＤ−Ｒ／−ＲＷに記録したデータをＤＶＤ−ビデオフォーマットに準拠した所定のフォーマットに変換する必要がある。なお、再生装置でＤＶＤ−Ｒ／−ＲＷに記録したデータを再生するためには、ＤＶＤ−Ｒ／−ＲＷに記録したデータをユニバーサルディスクフォーマット（ＵＤＦ、Ｕｎｉｖｅｒｓａｌ  Ｄｉｓｋ  Ｆｏｒｍａｔ）の規格に適合させる必要がある。
【００１５】
図５は、データをＤＶＤ−ビデオフォーマットに準拠した論理フォーマットで記録した光ディスクのデータ構造を示す図である。ＤＶＤ−ビデオフォーマットに対応した光ディスクは、図５（Ａ）に示すように、情報記録面が、先頭側である最内側よりリードイン（Ｌｅａｄ  ｉｎ）、データゾーン（Ｄａｔａ  Ｚｏｎｅ）及びリードアウト（Ｌｅａｄ  ｏｕｔ）に区切られている。上記データゾーンには、所望の実データが記録される。
【００１６】
ここでデータゾーンは、リードイン側より、ＵＤＦブリッジ構成が記述されたファイルシステムエリアであるＵＤＦ（Ｕｎｉｖｅｒｓａｌ  Ｄｉｓｋ  Ｆｏｒｍａｔ）領域Ａ１、ＤＶＤ管理情報エリアであるＶＭＧ（Ｖｉｄｅｏ  Ｍａｎａｇｅｒ）領域Ａ２及びリアルタイムデータ記録エリアＡ３に区分される。ＵＤＦ領域Ａ１及びＶＭＧ領域Ａ２は、リアルタイムデータ記録エリアＡ３に記録されたビデオデータを管理する情報を記録するための領域である。また、ＵＤＦ領域Ａ１は、第１の管理情報領域と呼ばれ、ＶＭＧ領域Ａ２は、第２の管理情報領域と呼ばれている。第２の管理情報領域であるＶＭＧ領域Ａ２は、ＤＶＤ−ビデオフォーマットに固有のファイル管理システムに対応する領域であり、リアルタイムデータ記録エリアＡ３に記録されたビデオデータ全体を管理する情報であるＴＯＣ（Ｔａｂｌｅ  Ｏｆ  Ｃｏｎｔｅｎｔｓ）の情報が記録される。これに対して第１の管理情報領域であるＵＤＦ領域Ａ１は、再生装置によるファイル管理システムに対応する領域であり、ＰＣ等におけるファイルシステムとの互換性を図るためのＵＤＦ等のフォーマットによりリアルタイムデータ記録エリアＡ３に記録されたビデオデータ全体を管理する情報が記録される。
【００１７】
リアルタイムデータ記録エリアＡ３は、動画及び静止画等の実データを記録するユーザーエリアであり、図５（Ｂ）に示すように、ＶＴＳ（Ｖｉｄｅｏ  Ｔｉｔｌｅ  Ｓｅｔ）を単位にして、動画及び静止画等が記録される。ＶＴＳはタイトルと呼ばれており、最大で９９個まで設けることができるようになされている。このＶＴＳは、図５（Ｃ）に示すように、先頭側よりＶＴＳＩ（Ｖｉｄｅｏ  Ｔｉｔｌｅ  Ｓｅｔ  ｉｎｆｏｒｍａｔｉｏｎ）、ＶＴＳＭ＿ＶＯＢＳ（Ｖｉｄｅｏ  Ｏｂｊｅｃｔ  Ｓｅｔ  ｆｏｒ  ｔｈｅ  ＶＴＳＭ）、ＶＴＳＴＴ＿ＶＯＢＳ（Ｖｉｄｅｏ  Ｏｂｊｅｃｔ  Ｓｅｔ  Ｆｏｒ  Ｔｉｔｌｅｓ  ｉｎ  ａ  ＶＴＳ）及びＶＴＳＩ＿ＢＵＰ（Ｂａｃｋｕｐ  ｏｆ  ＶＴＳＩ）により構成される。ＶＴＳＴＴ＿ＶＯＢＳには、実データであるＭＰＥＧ（Ｍｏｖｉｎｇ  Ｐｉｃｔｕｒｅ  Ｅｘｐｅｒｔｓ  Ｇｒｏｕｐ）２のフォーマットによるビデオデータが記録され、ＶＴＳＩには、この実データによるビデオデータを管理する情報である記録位置情報等が記録され、ＶＴＳＭ＿ＶＯＢＳには、ビデオデータのタイトルメニューが記録される。なおＶＴＳＭ＿ＶＯＢＳは、オプションである。ＶＴＳＩ＿ＢＵＰは、ＶＴＳＩのバックアップ用のデータが記録される領域である。また、ＶＴＳＴＴ＿ＶＯＢＳは、所定量ごとのパケット化されたデータにより形成されており、例えば、記録するデータが動画の場合には、図５（Ｄ）に示すように、ＣＥＬＬを単位として、複数のＣＥＬＬにより構成されている。
【００１８】
上述したデータ構造を有する光ディスクを再生装置によりアクセスする場合、ＵＤＦ領域Ａ１により所望するファイルを検索して再生することができるように設定され、ＤＶＤプレイヤーにより再生する場合には、ＶＭＧ領域Ａ２により所望するファイルを検索して再生することができるように設定されている。
【００１９】
このような光ディスクに動画を書き込む記録方式としては、Ｉｎｃｒｅｍｅｎｔａｌ  Ｒｅｃｏｒｄｉｎｇ方式（以下、ＩＮＣ方式という。）又はＲｅｓｔｒｉｃｔｅｄ  Ｏｖｅｒ  Ｗｒｉｔｅ方式（以下、ＲＯＷ方式という。）がある。ＩＮＣ方式は、主にＤＶＤ−Ｒ等に採用されており、シーケンシャルに動画を記録する方式であり、ＲＯＷ方式は、主にＤＶＤ−ＲＷ等に採用されており、ランダムに動画を記録する方式である。ただし、ＲＯＷ方式においても、未記録領域にデータを記録する場合には、シーケンシャルに動画を記録する必要がある。これらＩＮＣ方式及びＲＯＷ方式においては、リードインよりも内周側に設けられた記録管理領域（ＲＭＡ：Ｒｅｃｏｒｄｉｎｇ  Ｍａｎａｇｅｍｅｎｔ  Ａｒｅａ）により、リザーブ等の光ディスクヘの処理が管理されるようになされている。
【００２０】
ＩＮＣ方式による記録手順を図６に示す。ＩＮＣ方式においては、一度に書き込むエリアは最大３つまでと定義されており、このエリアをそれぞれＲｚｏｎｅと呼び、各ＲｚｏｎｅをＲＭＡで管理する。
【００２１】
すなわち、動画を記録する場合、ＩＮＣ方式においては、図６（Ａ）に示すように、始めにＲｚｏｎｅをリザーブする。ここで、Ｒｚｏｎｅのリザーブは、管理情報を記録する領域であるＵＤＦ領域Ａ１及びＶＭＧ領域Ａ２を形成するＲｚｏｎｅ１の領域を定義し、続いてリアルタイムデータ記録エリアＡ３を形成する未記録領域に、先頭のＶＴＳのＶＴＳＩ及びＶＴＳＭ＿ＶＯＢＳを形成するＲｚｏｎｅ２の領域を定義し、残る未記録領域をＩｎｖｉｓｉｂｌｅ  Ｒｚｏｎｅ（Ｒｚｏｎｅ３）の領域と定義して実行される。ＩＮＣ方式では、このＲｚｏｎｅ１及びＲｚｏｎｅ２のリザーブにより、管理情報を記録する領域を確保し、また、先頭のＶＴＳのＶＴＳＩ及びＶＴＳＭ＿ＶＯＢＳを形成する領域を確保するようになされている。
【００２２】
ＩＮＣ方式においては、Ｉｎｖｉｓｉｂｌｅ  Ｒｚｏｎｅの先頭側より順次動画を記録することにより、実データによるＶＴＳＴＴ＿ＶＯＢＳを形成する。さらにユーザーの指示により、１つのＶＴＳについて実データの記録が完了すると、図６（Ｂ）に示すように、この実データの記録に続いてＶＴＳＩ＿ＢＵＰを記録し、また、図６（Ｃ）に示すように、先頭側に戻ってＲｚｏｎｅ２にＶＴＳＩ及びＶＴＳＭ＿ＶＯＢＳを形成し、Ｒｚｏｎｅ２を閉じる。これによりＩＮＣ方式においては、１つのＶＴＳを光ディスクに記録する。
【００２３】
また、続けて次のＶＴＳを記録する場合、ＩＮＣ方式においては、図６（Ｄ）に示すように、残りの未記録領域にＲｚｏｎｅ３をリザーブしてＶＴＳＩ及びＶＴＳＭ＿ＶＯＢＳの領域を確保し、Ｉｎｖｉｓｉｂｌｅ  Ｒｚｏｎｅを定義する。さらに続いて、図６（Ｅ）に示すように、実データの記録によりＶＴＳＴＴ＿ＶＯＢＳを形成した後、ＶＴＳＩ＿ＢＵＰを形成し、図６（Ｆ）に示すように、先に確保した領域にＶＴＳＩ及びＶＴＳＭ＿ＶＯＢＳを形成する。これにより光ディスクでは、図６（Ｇ）に示すように、続くＶＴＳが記録される。ＩＮＣ方式においては、引き続きＶＴＳを記録する場合、同様に未記録領域を定義して順次ＶＴＳが記録される。
【００２４】
また、光ディスクは、図６（Ｈ）に示すように、ファイナライズ処理によりＲｚｏｎｅ１にＵＤＦ領域Ａ２及びＶＭＧ領域Ａ３が形成され、最内周にリードイン（Ｌｅａｄ  Ｉｎ）が形成され、最外周にリードアウト（Ｌｅａｄ  Ｏｕｔ）が形成される。このファイナライズ処理により再生専用の光ディスクとの互換性を図ることができる。なお、このＵＤＦ領域Ａ１及びＶＭＧ領域Ａ２の形成においては、各ＶＴＳのＶＴＳＩ及びＶＴＳＭ＿ＶＯＢＳのデータより、ＵＤＦ領域Ａ１及びＶＭＧ領域Ａ２に記録するデータを生成し、このデータをＲｚｏｎｅ１に記録してＲｚｏｎｅ１を閉じる作業が行われる。
【００２５】
次に、ＲＯＷ方式による記録手順を図７に示す。ＲＯＷ方式においては、図７（Ａ）に示すように、リードイン、ＵＤＦ領域、ＶＭＧ領域、先頭ＶＴＳのＶＴＳＩ及びＶＴＳＭ＿ＶＯＢＳの記録領域をパディング（Ｐａｄｄｉｎｇ）により事前に確保する。ここでパディングとは、ＮＵＬＬ等のダミーデータを記録して領域を確保する処理のことである。
【００２６】
このようにしてこれらの領域を確保すると、ＲＯＷ方式においては、図７（Ｂ）に示すように、順次画像を記録することにより、実データによるＶＴＳＴＴ＿ＶＯＢＳが形成され、１つのＶＴＳについて実データの記録が完了すると、続いてＶＴＳＩ＿ＢＵＰが記録され、さらに続くＶＴＳのＶＴＳＩ及びＶＴＳＭ＿ＶＯＢＳの記録領域の確保のために、パディングの処理が実行される。また、続いて先頭側に戻って、図７（Ｃ）に示すように、この実データの記録に対応するＶＴＳＩ及びＶＴＳＭ＿ＶＯＢＳが形成される。このようにしてＲＯＷ方式においては、１つのＶＴＳが光ディスクに記録される。
【００２７】
また、続けて次のＶＴＳを記録する場合、ＲＯＷ方式においては、図７（Ｄ）に示すように、直前のＶＴＳにより形成したパディングの領域に続いて、実データが記録されることによりＶＴＳＴＴ＿ＶＯＢＳ及びＶＴＳＩ＿ＢＵＰが形成され、続くＶＴＳのＶＴＳＩ及びＶＴＳＭ＿ＶＯＢＳの記録領域の確保のために、パディングの処理が実行される。また、続いて、図７（Ｅ）に示すように、ＶＴＳＩ及びＶＴＳＭ＿ＶＯＢＳが形成され、これにより、図７（Ｆ）に示すように、続くＶＴＳが光ディスクに記録される。ＲＯＷ方式においては、引き続きＶＴＳを記録する場合、同様にパディング等の処理が実行されて順次ＶＴＳが記録される。
【００２８】
また、光ディスクは、図７（Ｇ）に示すように、ファイナライズ処理によりパディングした領域にＵＤＦ領域及びＶＭＧ領域が形成され、最内周にリードイン（Ｌｅａｄ  Ｉｎ）が形成され、最外周にリードアウト（Ｌｅａｄ  Ｏｕｔ）が形成される。このファイナライズ処理により再生専用の光ディスクとの互換性を図ることができる。
【００２９】
上述の如きＩＮＣ方式やＲＯＷ方式を用いることにより、カメラで撮像したデータをＤＶＤ−Ｒ／−ＲＷに記録することもできる。特に近年において、カメラとＤＶＤ−Ｒ／−ＲＷ用のディスクドライブを備える記録装置とを一体的に構成したいわゆるディスクカムコーダも提案されている（例えば、特許文献２参照。）。
【００３０】
【特許文献１】
特許第３０８９８４４号公報
【特許文献２】
特開２００１−００６２６６号公報
【００３１】
【発明が解決しようとする課題】
ところで、従来の光ディスク記録装置では、ディスクが挿入されたらＰＣＡにて最適記録パワーを取得し、同時にＲ−ＯＰＣ基準値を取得していた。Ｒ−ＯＰＣ基準値を正確に取得するにはＰＣＡエリアを十分に使えばできるが、ＰＣＡエリアはＤＶＤ−Ｒの場合６８３２セクタ，４２７ブロックしかなく、カメラ一体型ビデオカムコーダ等、映像と音声を記録するビデオデータ記録装置用途として考えた場合、所謂つなぎ撮りなど、細切れに記録を繰り返すような使われ方も考えられ、度重なる記録に伴ってＰＣＡの書き込みテスト領域が消費され、記録領域に余裕があるのにも拘わらず、記録のための書き込みテスト領域がすべて消費されると記録ができなくなる虞がある。また、この場合、ビデオカメラに用いるという性格上、使用温度環境範囲も非常に広く、ＯＰＣを行う必然性も多くなる。
【００３２】
しかしながら、１回のみ書き込みの可能な追記型光ディスクでは、ＰＣＡを用いてＯＰＣを行うことができる回数は、有限であるため、ＰＣＡでのＯＰＣ回数はできるだけ減らす必要があり、また、１回のＯＰＣに使用するＰＣＡの量をできるだけ少なくする必要がある。
【００３３】
そこで、本発明の目的は、上述の如き従来の実状に鑑み、光ディスクを記録媒体とするカメラ一体型ビデオカムコーダ等、映像と音声を記録するビデオデータ記録装置において、最適記録パワーを測定するの時間を短縮し、その精度を上げることにより、映像や音声が適正な記録パワーで途切れることなく記録できるようにすることにある。
【００３４】
【課題を解決するための手段】
本発明では、Ｒ−ＯＰＣ基準値取得をＰＣＡではなく、データ記録エリアで必要十分なエリアを記録することによって、正確なＲ−ＯＰＣ基準値を取得することとする。
【００３５】
そのためには、Ｒ−ＯＰＣを行うセット温度環境と同じ環境下でＯＰＣを行う必要があり、ユーザーがＲＥＣボタンを押してから光ディスクに記録データの記録を開始するまでの時間内に、ＯＰＣによる最適パワー取得とＲ−ＯＰＣ基準値取得を完了させることが必要となる。
【００３６】
そこで、本発明では、その動作にかかる時間を短縮するために、光ディスクが記録装置に挿入されたら直ちにＯＰＣのために使用できるＰＣＡを探してそのＰＣＡで光学ピックアップ（ＯＰ：Ｏｐｔｉｃａｌ  Ｐｉｃｋｕｐ）をスチル状態で待機、又は停止して、その場所に光学ピックアップを位置させておくようにする。これによって、ＯＰＣの動作直前までを記録ボタンが押される前に完了させておくことができるので、記録ボタンが押されてからＰＣＡを探してシークをするという動作を省くことができ、記録開始までの時間短縮が実現できる。また、Ｒ−ＯＰＣ基準値取得はＯＰＣ動作と同じセット環境下で行えるので精度の高い値を得ることができ、またＰＣＡエリアの限られたエリアで取得するのではなく、データ記録エリアにて十分なエリアを記録して取得できるために、従来より、精度の高い値が得られることが期待できる。
【００３７】
すなわち、本発明は、光記録媒体に対して光学ピックアップによりデータの記録を行う光記録装置における光記録方法であって、光記録装置に光記録媒体が挿入されたら、上記光記録媒体上のＯＰＣ（Ｏｐｔｉｍｕｍ  Ｐｏｗｅｒ  Ｃａｌｉｂｒａｔｉｏｎ）のために使用できる試し書き領域ＰＣＡ（Ｐｏｗｅｒ  Ｃａｌｉｂｒａｔｉｏｎ  Ａｒｅａ）を探し、その場所で光学ピックアップを待機させ、データの記録操作入力を受け付けると、その待機場所でＯＰＣ動作を行い、最適パワーが得られたら、上記光記録媒体上のデータ記録エリアに光学ピックアップを移動させて、上記光学ピックアップによりデータを上記光記録媒体上のデータ記録エリアに記録することを特徴とする。
【００３８】
本発明に係る光記録方法では、上記光記録媒体上のデータ記録エリアに移動させた光学ピックアップにより、実記録データを上記データ記録エリアで記録してＲ−ＯＰＣ（Ｒｕｎｎｉｎｇ  Ｏｐｔｉｍｕｍ  Ｃｏｎｔｏｒｏｌ）の基準値を取得し、取得した基準値に基づいてＲ−ＯＰＣを実行しながらデータの記録を行う。
【００３９】
本発明は、光記録媒体に対して光学ピックアップによりデータの記録を行う光記録装置であって、光記録媒体が挿入されたら、上記光記録媒体上のＯＰＣ（Ｏｐｔｉｍｕｍ  Ｐｏｗｅｒ  Ｃａｌｉｂｒａｔｉｏｎ）のために使用できる試し書き領域ＰＣＡ（Ｐｏｗｅｒ  Ｃａｌｉｂｒａｔｉｏｎ  Ａｒｅａ）を探し、その場所で光学ピックアップを待機させ、データの記録操作入力を受け付けると、その待機場所でＯＰＣ動作を行い、最適パワーが得られたら、上記光記録媒体上のデータ記録エリアに光学ピックアップを移動させて、上記光学ピックアップによりデータを上記光記録媒体上のデータ記録エリアに記録する制御を行う制御手段を備えることを特徴とする。
【００４０】
本発明に係る光記録装置において、上記制御手段は、例えば、上記光記録媒体上のデータ記録エリアに移動させた光学ピックアップにより、実記録データを上記データ記録エリアで記録してＲ−ＯＰＣ（Ｒｕｎｎｉｎｇ  Ｏｐｔｉｍｕｍ  Ｃｏｎｔｏｒｏｌ）の基準値を取得し、取得した基準値に基づいてＲ−ＯＰＣを実行しながらデータの記録を行う。
【００４１】
さらに、本発明に係る光記録装置は、撮像手段を備え、上記撮像手段により得られるビデオ信号を光記録媒体に記録する。
【００４２】
【発明の実施の形態】
以下、本発明の実施の形態について、図面を参照して詳細に説明する。
本発明は、例えば図１のブロック図に示すような構成のディスクカムコーダ１に適用される。
【００４３】
このディスクカムコーダ１は、ＤＶＤ−Ｒ（ＤＶＤ−Ｒｅｃｏｒｄａｂｌｅ）又はＤＶＤ−ＲＷ（ＤＶＤ−Ｒｅｗｒｉｔａｂｌｅ）の光ディスク２に撮像結果を記録するようにしたものであり、光ディスク２が挿入されるディスクドライブ３、ユーザーによる操作入力に応じた動作制御信号を生成するためのフロント制御部１１、少なくとも上記フロント制御部１１から出力される動作制御信号に応じて他の構成要素と各種情報の送受信を実行するＨＩ制御部１２、被写体を撮像して画像信号を生成するカメラ部１３、カメラ部１２を制御するカメラ制御部１４、各構成要素を制御するためのシステム制御部１５、画像信号につき圧縮、伸張処理を施すコーディック処理部１６と、システム制御部１５に接続され、情報をユーザーに表示するためのＬＣＤパネル１７などからなる。
【００４４】
ディスクドライブ３は、ドライブ制御部１９、上記システム制御部１５とドライブ制御部１９の間に配設されるドライブチップセット２０などを備えてなる。
【００４５】
フロント制御部１１は、ディスクカムコーダ１の筐体外面に設けられたイジェクトスイッチの押圧入力を受けて、ＥＪＥＣＴ信号を生成し、これをＨＩ制御部１２へ送信する。このフロント制御部１１は、外面に設けられた電源スイッチの押圧入力を受けて、ＰＷ信号を生成し、これをＨＩ制御部１２へ送信する。またフロント制御部１１は、ディスクカムコーダ１内の時計制御を実行し、さらに押圧入力されたキーの種別に応じて、所定の動作制御信号を生成し、これをＨＩ制御部１２へ送信する。ちなみに、このキーの押圧入力は、図示しないリモートコントローラ端末から送信される無線信号を受信することにより代替される場合もある。
【００４６】
ＨＩ制御部１２は、フロント制御部１１から受信したＥＪＥＣＴ信号に基づき、ＥＪ制御信号を生成し、これをディスクドライブ３のドライブ制御部１９に対して送信する。またＨＩ制御部１２は、フロント制御部１１から受信したＰＷ信号に基づき、ディスクカムコーダ１の電源のＯＮ／ＯＦＦを制御する。また、このＨＩ制御部１２は、カメラ制御部１４と、例えばＩ／Ｏｓｙｎｃバスを介して、各種情報の送受信を行い、またシステム制御部１５と、バスを介して各種情報の送受信を行う。ＨＩ制御部１２は、フロント制御部１１から受信した各種動作制御信号に基づき、コマンドを生成してこれを各構成要素へ送信し、あるいは所定の動作を実行する。例えばフロント制御部１１を介してユーザーから記録モード、再生モードが指定された場合には、かかる旨の動作制御信号がこのＨＩ制御部１２に送信されることになる。ＨＩ制御部１２は、当該動作制御信号に基づき、指定されたモードの詳細につき識別し、ディスクドライブ３のドライブ制御部１９に対して所定の制御信号を送信することになる。
【００４７】
なお、このＨＩ制御部１２は、さらにＤＶＤ再生ナビゲーションの制御、ＵＳＢ（Ｕｎｉｖｅｒｓａｌ  Ｓｅｒｉａｌ  Ｂｕｓ）インターフェース等を介して他の電子機器とデータ通信等も実行する。
【００４８】
カメラ部１３は、撮像した被写体に基づき、例えばＣＣＤイメージセンサを用いた光電変換により画像信号を生成する。このカメラ部１３は、この生成した画像信号に対して、例えば相関二重サンプリング処理を実行することによりノイズ成分を除去し、シェーディング補正やマスキング補正、ニー補正、γ補正、輪郭補償等の信号処理を行い、さらにこれを増幅してカメラ制御部１４を介してＨＩ制御部１２にへ供給する。
【００４９】
カメラ制御部１４では、カメラ部１３における映像信号処理の制御、ズーム調整、パンチルト調整、焦点調整に加え、メカシャッター制御、ストロボ制御、手ぶれ補正等を行う。
【００５０】
コーディック処理部１６は、カメラ部１３により得られた画像信号をディジタル信号に変換することによりビデオデータを生成する。このコーディック処理部１６は、システム制御部１５による制御に基づき、生成したビデオデータが動画の場合には、ＭＰＥＧ（Ｍｏｖｉｎｇ  Ｐｉｃｔｕｒｅ  Ｅｘｐｅｒｔｓ  Ｇｒｏｕｐ）２方式に基づきデータ圧縮し、ビデオデータが静止画の場合には、ＪＰＥＧ（Ｊｏｉｎｔ  Ｐｈｏｔｏｇｒａｐｈｉｃ  ＣｏｄｉｎｇＥｘｐｅｒｔｓ  Ｇｒｏｕｐ）方式に基づき、データ圧縮する。この圧縮されたビデオデータは、ディスクドライブ３のドライブ制御部１９へ送信され、さらにはＨＩ制御部１２に接続されるＵＳＢケーブルを介して他の電子機器に送信される。これにより、ディスクカムコーダ１では、撮像結果と再生結果を外部機器でモニタリングすることも可能となる。ちなみに、このコーディック処理部１６は、圧縮したビデオデータにつきサムネイル画像を生成してもよい。
【００５１】
コーディック処理部１６は、再生時に、光ディスク２から読み出した再生ＲＦ信号に基づくビデオデータを上述の方式に対応させてデータ伸長する。
【００５２】
システム制御部１５は、記録時に、コーディック処理部１６から出力されるビデオデータを時分割多重化し、これにＤＶＤに固有のヘッダー情報や拡張ファイルのヘッダー情報等を付加する。また、システム制御部１５は、ＵＤＦ、ＶＭＧ及びＶＴＳＩ等のデータを生成し、これをディスクドライブ３のドライブ制御部１９へ出力する。また、システム制御部１５は、記録時に、図示しないＲＡＭを用いて、エラー訂正符号を生成し、これをビデオデータに付加する。このときシステム制御部１５は、ビデオデータに対して、スクランブル処理及び８／１５変調等の処理を実行してもよい。
【００５３】
システム制御部１５は、ＬＣＤパネル１７におけるグラフィック処理を実行し、またＬＣＤパネル１７の背面に配設されたバックライト等の輝度を制御する。
【００５４】
ＬＣＤパネル１７は、電子ビューファインダとして機能するもので、多数の液晶表示素子等からなり、ユーザーに対して情報を表示するディスプレイを構成する。このＬＣＤパネル１７は、システム制御部１５による制御に基づき、所定のメッセージを表示する。
【００５５】
ディスクドライブ３のドライブ制御部１９は、光ディスク２に対するビデオデータの記録、読出処理を制御し、また光ディスク２のスピンドル駆動、光ピックアップのフォーカス駆動、トラッキング駆動、スレッド駆動を制御する。また、このドライブ制御部１９は、ＨＩ制御部１２から送信されるＥＪ制御信号に基づき、ディスクドライブ３に挿入された光ディスク２をユーザーが取り出すための取出機構を制御する。
【００５６】
なお、ディスクドライブ３の構成については、後に詳細に説明をする。
【００５７】
上述の構成からなるディスクカムコーダ１では、撮像した被写体に基づく画像信号につき、所定の方式により圧縮してビデオデータを生成し、これを光ディスク２へ記録することができる。また再生時には、光ディスク２から読み出したビデオデータを伸張してＬＣＤパネル１７を介してこれを表示し、あるいは他の電子機器へ送信してこれをモニタリングすることができる。
【００５８】
次に、ディスクドライブ３の詳細について、図２に示すブロック構成図を参照して説明する。
【００５９】
この図２に示すようにドライブドライブ３は、挿入された光ディスク２に対してビデオデータを記録し、あるいは光ディスク２に記録されているビデオデータを検出する光学ピックアップ３１と、光ディスク２を回転させるスピンドルモータ３２と、光学ピックアップ３１を光ディスク２の径方向へ移動させるスレッドモータ３３と、光学ピックアップ３１に接続されるＲＦ増幅器３４と、ＲＦ増幅器３４からの信号を記憶部３７へ送信し、また各種サーボ駆動信号を発生させるディジタルシグナルプロセッサ（ＤＳＰ：Ｄｉｇｉｔａｌ  Ｓｉｇｎａｌ  Ｐｒｏｃｅｓｓｏｒ）３５と、接続されたＤＳＰ３５からのサーボ駆動信号に基づき、スレッドモータ３３、並びに光学ピックアップ３１内の図示しない２軸コイルを制御するドライブＩＣ３６と、接続されたＤＳＰ３５からのサーボ駆動信号に基づき、スピンドルモータ３２を制御するスピンドルドライバ３８と、これらの各構成を制御するためのマイクロコンピュータ（以下、単にマイコンという）３９と、ＤＳＰ３５並びにマイコン３９に対して実行するプログラムを格納するフラッシュメモリ４０と、マイコン３９にそれぞれ接続され、ディスクドライブ３内の温度を検出する温度センサ４１並びに衝撃等を検出するショックセンサ４２とを備えている。
【００６０】
光学ピックアップ３１は、内蔵されている半導体レーザーからレーザービームを出射し、対物レンズを介してこのレーザービームを光ディスク２の情報記録面に集光する。また、このレーザービームの照射により光ディスク２から得られる戻り光をこの対物レンズを介して所定の受光素子に導き、この受光素子の受光結果をＲＦ増幅器３４に出力する。この光学ピックアップ３１は、ドライブＩＣ３６から供給されるフォーカス駆動信号及びトラッキング起動信号に基づき、図示しない２軸コイルを用いて、上記光学ピックアップ３１における対物レンズを光軸方向及び当該光軸方向と直交する方向へ移動させる。
【００６１】
スピンドルモータ３２には、光ディスク２を装着するディスクテーブルが一体的に取り付けられる。スピンドルモータ３２は、スピンドルドライバ３８から供給されるスピンドル駆動信号に基づき、駆動軸を例えば、線速度一定（ＣＬＶ：Ｃｏｎｓｔａｎｔ  Ｌｉｎｅａｒ  Ｖｅｌｏｃｉｔｙ）又は、角速度一定（ＣＡＶ：  Ｃｏｎｓｔａｎｔ  Ａｎｇｕｌａｒ  Ｖｅｌｏｃｉｔｙ）で回転駆動させことにより、ディスクテーブル上に装着された光ディスク２を回転させる。
【００６２】
スレッドモータ３３は、ドライブＩＣ３６から供給されるスレッド駆動信号に基づき、光学ピックアップ３１を光ディスク２の径方向へ移動させる。
【００６３】
このような構成からなるディスクドライブ３では、スピンドルモータ３２並びにスレッドモータ３３により、光ディスク２の回転速度、光学ピックアップ３１の位置等を調整しつつ、光学ピックアップ３１から光ディスク２の記録面に対してレーザ光を照射する。これにより光ディスク２の記録面を局所的に温度上昇させて所望のデータを記録することができる。
【００６４】
ＲＦ増幅器３４は、電流−電圧変換回路、増幅回路、マトリクス演算回路等を備え、光学ピックアップ３１のディテクタで得られる検出出力から、再生ＲＦ信号、トラッキングエラー信号（以下、ＴＥ信号という。）、フォーカスエラー信号（以下、ＦＥ信号という。）等を生成する。ＲＦ増幅器３４は、生成した再生ＲＦ信号、ＴＥ信号、ＦＥ信号に加えて、光学ピックアップ３１から送信される管理情報をＤＳＰ３５へ出力する。
【００６５】
また、ＲＦ増幅器３４は、光学ピックアップ３１から光ディスク２に照射するレーザ光の光量を制御するための光量制御信号を出力する。ＲＦ増幅器３４は、再生時に、光学ピックアップ３１から光ディスク２に照射するレーザ光の光量を一定に保持するのに対し、記録時には、ＤＳＰ３５からのビデオデータに応じてこの光量制御信号の信号レベルを変化させる。
【００６６】
ＤＳＰ３５は、ドライブチップセット２０に相当するもので、上記ドライブ制御部１９に相当するマイコン３９の制御に基づき、入力される再生ＲＦ信号を２値化し、システム制御部１５あるいはコーディック処理部１６へ送信されることになる。またこのＤＳＰ３５は、ＲＦ増幅器３４により生成されたＴＥ信号、ＦＥ信号をドライブＩＣ３６へ送信する。またＤＳＰ３５は、記録時に、コーディック処理部１６から送信されるビデオデータに基づき記録パルスを生成してこれを光学ピックアップ３１へ出力する。また、ＤＳＰ３５は、光ディスク２に記録するデータの管理情報を例えばフラッシュメモリ４０に一時的に記憶する。さらに、このＤＳＰ３５は、システム制御部１５による指示を受けて、フラッシュメモリ４０に記憶した管理情報を参照しつつ、例えばランダム再生やシャッフル再生の各種再生方法を実行するように各部を制御する。
【００６７】
ドライブＩＣ３６は、ＤＳＰ３５から入力されるＴＥ信号やＦＥ信号に基づき、フォーカス駆動信号及びトラッキング起動信号を生成し、これを光学ピックアップ３１へ供給する。またドライブＩＣ３６は、マイコン３９による制御に従って、光学ピックアップ３１を目的のトラック位置に移動させるためのスレッド駆動信号を生成し、これをスレッドモータ３３へ供給する。
【００６８】
スピンドルドライバ３８は、マイコン３９による制御に従って、スピンドルモータ３２を所定の速度で回転駆動させるためのスピンドル駆動信号を生成し、これをスピンドルモータ３２へ供給する。
【００６９】
記憶部３７は、例えばＲＡＭ（Ｒａｎｄｏｍ  Ａｃｃｅｓｓ  Ｍｅｍｏｒｙ）等により構成され、ＤＳＰ３５から送信される再生ＲＦ信号を一時的に記憶する。この記憶部３７により記憶されている再生ＲＦ信号は、マイコン３９による制御に従い、所定のタイミングで読み出される。
【００７０】
マイコン３９は、上記ドライブ制御部１９に相当するものであって、光ディスク２に対するビデオデータの記録、読出処理を制御し、また光ディスク２のスピンドル駆動、光ピックアップのフォーカス駆動、トラッキング駆動、スレッド駆動等を制御する。
【００７１】
このような構成のディスクカムコーダ１において、ディスクドライブ３は、図３のフローチャートに示す手順に従って制御される。
【００７２】
すなわち、ディスクドライブ３のドライブ制御部１９は、光ディスク２が挿入されると（ステップＳ１）、光学ピックアップ３１に対するシークサーボ及びフォーカスサーボをオンにして、記録管理領域（ＲＭＡ：Ｒｅｃｏｒｄｉｎｇ  Ｍａｎａｇｅｍｅｎｔ  Ａｒｅａ）から記録管理情報（ＲＭＤ：Ｒｅｃｏｒｄｉｎｇ  Ｍａｎａｇｅｍｅｎｔ  Ｄａｔａ）等を読んで挿入された光ディスクの種類を判別し（ステップＳ２）、光ディスクの種類に対応する正規化係数をテーブルにセットする（ステップＳ３）。挿入された光ディスクがＤＶＤ−Ｒである場合には、最小分解能ステップで係数の値を正規化係数テーブルに持つ。
【００７３】
そして、ドライブ制御部１９は、光学ピックアップ３１をＯＰＣ（Ｏｐｔｉｍｕｍ  Ｐｏｗｅｒ  Ｃａｌｉｂｒａｔｉｏｎ）のために使用できる試し書き領域（ＰＣＡ：Ｐｏｗｅｒ  Ｃａｌｉｂｒａｔｉｏｎ  Ａｒｅａ）を探して、その場所で光学ピックアップ３１を待機させる（ステップＳ４）。
【００７４】
光ディスクドライブ３のドライブ制御部１９は、図４に示すように、挿入された光ディスク２の認識中に上記ステップＳ４までの制御動作を行う。
【００７５】
次に、システム制御部１５は、ユーザーが記録ボタンを押すことによる記録操作入力をＨＩ制御部１２を介して受け付けると（ステップＳ５）、ディスクドライブ３のドライブ制御部１６にＯＰＣの実行を要求する（ステップＳ６）。
【００７６】
ディスクドライブ３のドライブ制御部１９は、システム制御部１５からＯＰＣの実行要求（ＤＯ  ＯＰＣ）を受けると、その待機場所で直ちにＯＰＣ動作を行い、最適記録パワーＰｗを決定する（ステップＳ７）。ＯＰＣ動作では、記録パワーをある範囲で段階的に変えて記録し、その記録したエリアを再生してＲＦ信号のアシメトリを計測するなどして、どのパワーで記録したエリアが最適な記録状態になっているかを判断する。この動作によって、セット内の温度などによって決まるある環境での最適記録パワーＰｗが求まる。
【００７７】
システム制御部１５は、記録データをメモリに５０％（５〜１５秒）まで蓄積すると（ステップＳ８）、ディスクドライブ３のドライブ制御部１９に記録の実行を要求する（ステップＳ９）。
【００７８】
ドライブ制御部１９は、システム制御部１５から記録の実行要求を受けると、データ記録エリアに光学ピックアップ３１を移動させて（ステップＳ１０）、記録動作を開始し（ステップＳ１１）、上記ステップＳ７で決定された最適レーザパワーＰｗでデータを書き始め（ステップＳ１２）、２５６セクタ以上記録して２５６セクタ以上のＲ−ＯＰＣ測定の結果の平均を取り、上記正規化係数テーブルを用いて正規化したＲ−ＯＰＣの基準値を得る（ステップＳ１３）。
【００７９】
その後はＲ−ＯＰＣを常時測定して基準値を取得し、取得した基準値に基づいてＲ−ＯＰＣを実行しながら最適レーザパワーＰｗでデータの記録を行う。
【００８０】
なお、ディスクドライブ３のドライブ制御部１９は、光ディスク２が挿入されてＯＰＣを実行してデータを書き始め、Ｒ−ＯＰＣの基準値が得られたら、システム制御部１５側にステータスを立て、ステータスが保持されている限り、記録・停止を繰り返しても前回取得したＲ−ＯＰＣ値を使用する。また、ディスク挿入部の蓋が開けられた場合には、システム制御部１５側のステータスをリセットする。そして、システム制御部１５側のステータスがクリアされていたら、光ディスク２が交換されたものと認識してＯＰＣを行う。
【００８１】
このように、このディスクカムコーダ１では、光ディスク２が挿入されたら、その光ディスク２を認識するまでの間に、光学ピックアップ３１をＯＰＣのために使用できる試し書き領域ＰＣＡを探して、その場所で光学ピックアップ３１を待機させておき、ユーザーが記録ボタンを押した後に、ＯＰＣ動作を行って最適記録パワーＰｗを求める。
【００８２】
そして、光学ピックアップ３１をデータ記録エリアに移動させてデータの記録を行うのであるが、記録中の記録パワーを最適に保つために、データ記録エリアで、実記録データを記録する始まりのところでＲ−ＯＰＣ基準値を取得する。
【００８３】
Ｒ−ＯＰＣ基準値取得で用いる記録パワーは、セット内の温度などによって決まる環境が同じである状態での最適パワーを用いる必要があり、このディスクカムコーダ１では、ユーザーが記録ボタンを押してから光ディスク２にデータを記録するまでの時間内に、ＯＰＣによる最適パワーの取得とＲ−ＯＰＣ基準値の取得を完了する。
【００８４】
このような時間の限られた状態で二つの動作を終えるために、このディスクカムコーダ１では、ユーザーが記録ボタンを押すまでの間に、ＰＣＡ内のどのエリアにてＯＰＣをすればよいか判断し、そこで光学ピックアップ３１をスチル状態、あるいは停止状態にして待機させでおくことによって、ＰＣＡのサーチに要する時間を短縮することができ、ユーザーが記録ボタンを押すと同時にＯＰＣを行うことができる。その後、直ちに光学ピックアップ３１をデータ記録エリアにシークし、実記録データを記録すると同時にＲ−ＯＰＣ基準値を取得する。実記録データを記録しながら取得することによって、ＰＣＡにてＲ−ＯＰＣ基準値の取得を行うよりも、Ｒ−ＯＰＣ基準値の取得に必要なエリアを十分に確保することができ、光ディスク２の面内反射率ムラや傷、誤差成分を除外して、正確なＲ−ＯＰＣ基準値を取得することができる。
【００８５】
【発明の効果】
以上のように、本発明では、ＰＣＡにてＯＰＣが必要がどうか不確定な状態の時、ＯＰがＰＣＡに待機させているために、ＯＰＣが必要になった時にはすぐさまＯＰＣを行うことができる。
【００８６】
また、本発明では、Ｒ−ＯＰＣ基準値の取得をデータ記録エリアで行うことにより、光ディスクの面内反射率ムラや傷、誤差成分を除外してＲ−ＯＰＣ基準値を取得することができる。
【００８７】
さらに、本発明では、Ｒ−ＯＰＣ基準値取得をデータ記録エリアで行うことにより、従来ＰＣＡにて行っていたエリアがＯＰＣのために使えるようになり、カメラ一体型ビデオカムコーダ等の、映像と音声を記録するビデオデータ記録装置用途として考えた場合、細切れに記録を繰り返すような使われ方も考えられるので、ＯＰＣの回数をこれまでより多く取ることができる。
【００８８】
したがって、本発明によれば、光ディスクを記録媒体とするカメラ一体型ビデオカムコーダ等、映像と音声を記録するビデオデータ記録装置において、最適記録パワーを測定するの時間を短縮し、その精度を上げることにより、映像や音声が適正な記録パワーで途切れることなく記録できる。
【００８９】
【図面の簡単な説明】
【図１】本発明を適用したディスクカムコーダの構成を示すブロック図である。
【図２】上記ディスクカムコーダにおけるディスクドライブの詳細構成を示すブロック図である。
【図３】上記ディスクカムコーダおけるディスクドライブの制御手順を示すフローチャートである。
【図４】上記ディスクドライブにおいてデータの記録動作の実行過程を模式的に示す  図である。
【図５】ＤＶＤ−ビデオフォーマットに準拠した論理フォーマットでデータを記録した光ディスクのデータ構造を示す図である。
【図６】ＩＮＣ方式による光ディスクの記録手順を模式的に示す図である。
【図７】ＲＯＷ方式による光ディスクの記録手順を模式的に示す図である。
【符号の説明】
１  ディスクカムコーダ、２  光ディスク、３  ディスクドライブ、１１  フロント制御部、１２  ＨＩ制御部、１３  カメラ部、１４  カメラ制御部、１５システム制御部、１６  コーディック処理部、１７  ＬＣＤパネル、１９  ドライブ制御部、２０  ドライブチップセット、３１  光学ピックアップ、３２  スピンドルモータ、３３  スレッドモータ、３４  ＲＦ増幅器、３７  記憶部、３５  ディジタルシグナルプロセッサ、３３  スレッドモータ、３６  ドライブＩＣ、３８  スピンドルドライバ、３９  マイクロコンピュータ、４０  フラッシュメモリ、４１  温度センサ、４２  ショックセンサ
【図１】
2004213808.tif 000003
【図２】
2004213808.tif 000004
【図３】
2004213808.tif 000005
【図４】
2004213808.tif 000006
【図５】
2004213808.tif 000007
【図６】
2004213808.tif 000008
【図７】
2004213808.tif 000009